(57)【要約】【課題】電気掃除機の吸口体において、補給吸気口の開閉動作を完全に行うことで開口面積を調整し、操作性を損なうことなく集じん性能に優れた電気掃除機を、設置場所の制限を減らし、省スペースに設けられる組立て性の良い簡単かつコストを抑えた構成であり、更に外観も優れた吸口体を提供することにある。【解決手段】被掃除面に対面する開口部を有する吸込室を備え、電動送風機と集じん部とを有する掃除機本体の前記集じん部と前記吸込室を連通する接続管を有し、前記吸込室に外部空気を吸引する補給吸気口を配置した電気掃除機用の吸口体において、前記補給吸気口の開口面積を変化させる調整手段を設け、前記調整手段は可撓性を有する開閉板で形成され、先端に直線状に折り曲げた部分を設けたことにある。【選択図】図１
2009297378.tif 000002
【特許請求の範囲】
【請求項１】
横長空間の吸込室と、前記吸込室の下側に設けた塵埃吸い込み用の吸込開口部と、前記吸込室に外気を補給吸引する補給吸気口と、前記補給吸気口の開口面積を調整する加撓性をもったシート状の調整弁板を有する電気掃除機用吸口体にあって、
前記調整弁板は回動支点となる支点固定部側の反対側に位置する可動端側に剛性用リブを設けたことを特徴とする電気掃除機用吸口体。
【請求項２】
請求項１記載の電気掃除機用吸口体において、
前記調整弁板の剛性用リブは、前記可動端側が鉤形状に折り曲がって形成されていることを特徴とする電気掃除機用吸口体。
【請求項３】
請求項１記載の電気掃除機用吸口体において、
前記調整弁板の剛性用リブは、前記可動端側に沿って延在することを特徴とする電気掃除機用吸口体。
【請求項４】
請求項１記載の電気掃除機用吸口体において、
前記調整弁板の剛性用リブは、前記吸込室の内側に向くように形成されていることを特徴とする電気掃除機用吸口体。
【請求項５】
請求項１記載の電気掃除機用吸口体において、
前記可動端側の長手方向の中間を境にして前記剛性用リブは二手に分かれて延在することを特徴とする電気掃除機用吸口体。
【請求項６】
請求項１記載の電気掃除機用吸口体において、
前記補給吸気口と前記調整弁板は、前記吸込室の長手方向に沿って延在する横長形状を
していることを特徴とする電気掃除機用吸口体。
【請求項７】
横長空間の吸込室と、前記吸込室に回転自在に内置された回転清掃体と、前記吸込室の下側に設けた塵埃吸い込み用の吸込開口部と、前記吸込室に外気を補給吸引する補給吸気口と、前記補給吸気口の開口面積を調整する加撓性をもったシート状の調整弁板を有する電気掃除機用吸口体にあって、
前記調整弁板が吸込室の内側に向かって撓む最大の撓み量を制限する撓み量制限手段を設けたことを特徴とする電気掃除機用吸口体。
【請求項８】
請求項１〜７の何れかに記載された電気掃除機用吸口体を備えることを特徴とする電気掃除機。
【発明の詳細な説明】
【技術分野】
【０００１】
本発明は横長空間の吸込室と、前記吸込室に回転自在に内置された回転清掃体と、前記吸込室の下側に設けた塵埃吸い込み用の吸込開口部と、前記吸込室に外気を補給吸引する補給吸気口と、前記補給吸気口の開口面積を調整する加撓性をもったシート状の調整弁板を有する電気掃除機用吸口体、およびその電気掃除機用吸口体を備える電気掃除機に関する。
【背景技術】
【０００２】
従来の電気掃除機の吸口体として、例えば特許文献１（特開２００１−３２１３０４号公報）がある。吸口体の下ケース前方に吸気口を設け、この吸気口に可撓性を有するベーンを設置したものが提案されている。
【０００３】
また、特許文献２（特開２００８−０８６５４９号公報）には、吸口体の回転ブラシ中心より前方の開口部と後方に吸込具外部と連通する風路を吸口体上部と吸込室の間に設け、軸支され回動可能な調整弁により前記開口部を開閉自在にするものが提案されている。前記調整弁は下方からバネなどにより吸込室内の圧力が大気圧と同等の状態では閉じているように付勢されているものである。
【０００４】
【特許文献１】特開２００１−３２１３０４号公報
【特許文献２】特開２００８−０８６５４９号公報
【発明の開示】
【発明が解決しようとする課題】
【０００５】
特許文献１では、掃除機本体の吸引力が大きい場合は、吸口体内の負圧が大きくなるので、ベーンが撓み、外部空気を取り入れることで負圧を抑制し、じゅうたん等の吸い付きを防止している。一方、掃除機本体の吸引力が小さい場合は、吸口体内の負圧が小さいために、ベーンが垂直方向に下がり、負圧を維持して集じん性能を確保している。
【０００６】
このとき、ベーンが垂直方向に下がることで、ベーンの前方にある米粒などのじん埃が吸口内に吸込むことができない状況が発生する。また、吸口体の前方、特に下ケースの前方に上記構成を形成すると、回転清掃体の取り付け位置が後方側となり、壁際での掃除をすると、吸い残し部分が多くなってしまうという問題があった。
【０００７】
特許文献２では、吸口体が隅部に当接したとき等、前記風路内の負圧が高まると調整弁が開放し、外気導入風によって前隅のじん埃を搬送し、前方隅部の集じん性能を確保している。また、隅部から離したとき、調整弁が閉じる方向に動作するため、高まった負圧により集じん力を高めている。
【０００８】
しかしながら、前記調整弁は閉じる方向にバネなどで付勢しているため、部品点数が多く、構成が複雑で組立て性が悪いことやコストの上昇が考えられる。また、付勢力を前記調整弁の回動軸方向に、左右対称、かつ両端部近傍に設けなければ、調整弁が回動軸方向に撓み、外観が悪くなることが考えられる。
【０００９】
また、バネなどの付勢手段を設けずに調整弁の撓みのみにより開閉動作を行う際には、調整弁の復元力が必要となるため、厚みを厚くする必要がある。このため、厚みのある部材を撓ませるため、調整弁は大きくなり、設置スペースが限られるものであった。更に、吸口体内の圧力は長手方向に対し、中心が最も負圧が大きく、両端方向にいくに従って、吸口体内の負圧は小さくなるため、負圧に対する吸気口開口面積の調整精度、及び開口部の外観を良くするためには吸口体の中心に左右対称の形状で設けなければならないといった制限があった。
【００１０】
本発明の目的は上記課題に対処し、吸口体内の負圧の状況に応じて、外気を補給する補給吸気口の開口面積を自動的に調節することで、軽快操作と高集じんが図れ、しかも省エネルギに優れた電気掃除機用吸口体を、設置場所の制限を減らし、省スペースに設けられる組立て性の良い簡単、かつコストを抑えた構成の電気掃除機用吸口体を提供することを目的とする。
【課題を解決するための手段】
【００１１】
上記目的を達成するために本発明の特徴とするところは、横長空間の吸込室と、前記吸込室の下側に設けた塵埃吸い込み用の吸込開口部と、前記吸込室に外気を補給吸引する補給吸気口と、前記補給吸気口の開口面積を調整する加撓性をもったシート状の調整弁板を有する電気掃除機用吸口体にあって、前記調整弁板は回動支点となる支点固定部側の反対側に位置する可動端側に剛性用リブを設けたことにある。
【発明の効果】
【００１２】
本発明によれば、吸口体内の負圧の状況に応じて、外気を補給する補給吸気口の開口面積を自動的に調節することで、軽快操作と高集じんが図れ、しかも省エネルギに優れた電気掃除機用吸口体を、設置場所の制限を減らし、省スペースに設けられる組立て性の良い簡単、かつコストを抑えた構成で提供することができる。
【発明を実施するための最良の形態】
【００１３】
以下、本発明に係る実施例を添付の図面を用いて説明する。
【実施例１】
【００１４】
本発明の一実施例に係る吸口体の構成を図１から図３を用いて説明する。
【００１５】
図１に本発明の一実施例に係る吸口体の外観斜視図と、図２に分解斜視図と、図３に上ケースを取り除いた平面図を示す。１００は上ケース、１０１は下ケースであり、吸口本体１５０を形成している。１３１はインナーケースである。
【００１６】
吸口本体１５０は、横長空間の吸込室を有し、吸込室には回転自在なる回転清掃体を備える。吸口本体１５０は、吸込室の下側に設けた塵埃吸い込み用の床面開口部（吸込開口部）と、吸込室に外気を補給吸引する補給吸気口１３２を有する。
【００１７】
補給吸気口１３２には開口面積を変化させる調整手段（可撓性をもったシート状の調整弁板）を設けており、前記調整手段の動作域を制限する、或いは前記調整手段を保持するための保持リブ１０１ａを形成している。本発明では、可撓性のフラップ１３３（可撓性をもったシート状の調整弁板）を取り付けている。
【００１８】
保持リブ１０１ａは、開口面積を大きくするように可撓性のフラップ１３３が吸込室の内側方向に大きく撓む最大動作量を規制する。
【００１９】
１１８は下ケース１０１に設けられた床面開口部で、被掃除面に面する。１１９はバンパー、１０４は回転清掃体、１０５は回転清掃体１０４を駆動するための電動機、１０７は吸口体を持ち上げたときに自動的に回転停止するための安全スイッチ、１０８は電動機側プーリー、１０９は減速プーリーを構成する大プーリー、１１０は減速プーリーを構成する小プーリー、１１１は大プーリー１０９と小プーリー１１０を連結するシャフトである。
【００２０】
本実施例ではシャフト１１１に設けた大プーリー１０９及び小プーリー１１０により、回転清掃体１０４の回転軸端部に伝達する伝達機構を構成している。
【００２１】
吸口体２０６には、被掃除面に応じて、吸口本体の電動機１０５と本体の電動送風機の入力を連動して制御し、段階的に点灯して示す表示手段１３０を設置しており、その設定状態を色で発光してお知らせするようになっている。
【００２２】
表示手段１３０は、発光ダイオード１２４，１２５と導光管１２６，１２７とにより構成している。
【００２３】
１２２は電動機１０５の駆動を制御する回路基板、吸口体２０６の下ケース上面略中央部には、本体および吸口体の運転状態を段階的に照射する発光ダイオード１２４，１２５（発光素子）が設けられ、発光ダイオード１２４，１２５の照射を中心側から外側へ向けて配置し、その前方に導光管１２６，１２７を配設している。１２３は発光ダイオード１２４，１２５を照射するための駆動回路基板である。発光ダイオード１２４，１２５は、発光色が異なる２つのダイオードで構成され、本実施例では、赤色１２４ａ，１２５ａと緑色１２４ｂ，１２５ｂの組合せとしている。導光管１２６，１２７が上ケース１００の表示手段１３０に設置される。
【００２４】
図４に本発明の一実施例に係る電気掃除機の外観図を示す。２０１は後部に吸口体２０６が集じんするのに必要な吸気風を発生させる電動送風機（図示せず）を内蔵し、前部にはじん埃を集じんする集じん室（図示せず）を内蔵した電気掃除機本体、２０２は電気掃除機本体２０１に接続され、柔軟に可動するように形成されたホース、２０３は前記ホース２０２に接続されて前記電気掃除機本体２０１や吸口体２０６を制御するスイッチ操作部２０４を内蔵し、ホース２０２と延長管２０５と連通する流路（図示せず）を持つ手元操作部である。また、ホース２０２と手元操作部２０３及び延長管２０５には、吸口体２０６に電気を供給する給電線（図示せず）が内蔵されている。
【００２５】
電気掃除機本体２０１の内部には、電動送風機の入力と吸口体の駆動電動機１０５の入力を制御する制御基板２５０（図５）が収納されている。
【００２６】
吸口本体１５０の後方には、左右（幅）方向の中央部に位置して自在継手部１６０が設けられている。この自在継手部１６０は、一端が吸口本体１５０に回動可能に接続され、被掃除面に対して略水平な状態から略垂直な状態まで回動可能な第１の接続管１０２と、一端が第１の接続管１０２の他端に回動可能に接続され、吸口本体１５０に対し左右方向に回動可能な第２の接続管１０３を有する。第２の接続管１０３の他端には延長管２０５が接続される。この自在継手部１６０は、延長管２０５を被掃除面に対して略垂直とした状態において、その延長管２０５を吸口本体１５０の左右方向に向かって倒すことができる機能を有している。このため、手元操作部２０３左右方向の何れかに捻ることで、吸口本体１５０を左右方向の何れかに略９０度回転させ、吸口本体１５０の左右方向を移動方向にした掃除が可能であり、壁際に沿って吸口体２０６を移動させたり、狭い隙間に吸口体２０６を挿入して掃除することが可能となっている。
【００２７】
図１において、回転清掃体１０４の回転軸に沿う方向を吸口本体の左右方向と呼び、この左右方向は通常吸口体の長手方向と一致する。また、吸口本体の上下方向に関しては、吸口本体１５０を水平な床面上に置いた状態で、開口部１１８が形成された側を下面側、反対側を上面側と呼ぶ。
【００２８】
また、使用者から見て、使用者が手元操作部２０３を握って吸口体２０６を押す方向を前側（前方）、吸口体２０６を使用者側へ引き寄せる方向を後側（後方）と定義する。
【００２９】
図５に本実施例による吸口体のＡＡ断面図、図６にその拡大図を示す。１００は上ケース、上ケースにはインナーケース１３１が取り付けられている。３０２〜３０５は回転清掃体の清掃部材、３０６は清掃部材３０２〜３０５を固定する筒状基体、３０７は吸込室である。
【００３０】
吸口体下ケース１０１の上側には、吸口体上ケース１００が回転清掃体１０４を覆うように、吸口体下ケース１０１に対して着脱可能に設けられ、この吸口体上ケース１００、インナーケース１３１と吸口体下ケース１０１とで、回転清掃体１０４が収容される吸込室３０７を構成する。また、吸口体下ケース１０１の被清掃面と対向する面には、回転清掃体１０４と被清掃面との接触を可能とし、被掃除面上のじん埃を吸引するための開口１１８が形成されている。
【００３１】
回転清掃体１０４の清掃部材３０２〜３０５は、繊維等による刷毛の他、軟質のブレード状のものを用いて構成することができ、刷毛やブレードをそれぞれ単独で、或いは刷毛とブレードとを混在させて構成することができる。また、筒状基体３０６を形成する部材で一体に成形した突出部で清掃部材を構成してもよい。いずれにしても、清掃部材は筒状基体３０６の外周面から外方に突出するように構成される。
【００３２】
回転清掃体１０４の上部側に設けたインナーケース１３１に補給吸気口１３２を形成し、補給吸気口１３２の開口面積を変化させる調整手段を設けている。前記調整手段を本発明では、可撓性のあるフラップ１３３をインナーケース１３１に取り付けている。このとき、前記フラップ１３３はインナーケース１３１の支点固定部１３１ａと凸部１３１ｂにより、十分に張られ、撓んだ状態で固定されている。
【００３３】
そのため、前記フラップ１３３は復元力により前記インナーケース１３１に押し付けられ、補給吸気口１３２が完全に閉じた状態となっている。フラップ１３３は、吸込室３０７の負圧の大きさによって撓み、前記フラップ１３３の先端部が前記インナーケース１３１の支点固定部１３１ａを軸に回動方向に撓む構造となっている。
【００３４】
本実施例ではフラップ１３３の取り付け向きは吸口体前方に向かって開口する構成となっているが、フラップの取り付け向きは問わない。例えば、フラップ１３３の開口向きを後方にした場合、使用者からフラップ１３３の動作が視認し易く、フラップの効果を実感できると共に、正常に操作していることの目視による確認ができる。
【００３５】
また、前記フラップ１３３の先端部は折り曲げ部１３３ａにより折り曲げられ、回動軸方向に剛性を持たせる構造となっている。ここで折り曲げ角度１３３ｂは６０°〜９０°が望ましい。ここでは、前記フラップ１３３はポリエチレンテレフタレート製のシートを用いているが材質には拘らない。
【００３６】
すなわち、調整弁板であるフラップ１３３は、支持固定部１３１ａの反対側である可動端側を鉤形に折り曲げている。この折り曲た折り曲げ部１３３ａは可動端側に沿って延在するように形成されている。鉤形に折り曲がる折り曲げ部１３３ａは剛性リブの機能を有し、剛性リブの延在方向に剛性が働くので、調整弁板であるフラップ１３３は延在方向に撓まない。吸込室の長手方向に沿って延在する横長形状の調整弁板の剛性がアップには、好都合である。
【００３７】
したがって、吸込室３０７内の負圧変化に応じ、調整弁板であるフラップ１３３は、支持固定部１３１ａである回動軸の方向（剛性リブの延在方向）に亘って同じように可動変化する。
【００３８】
また、剛性リブは上向きに形成することも可能である。上／下向きに併せて形成すると更に剛性がアップする。
【００３９】
また、上記実施例では、剛性リブは可動端側に沿って直線状に延在しているが、可動端側の長手方向の中間を境にして剛性用リブは二手に分かれて延在させることも可能である。この場合は、二手に分かれる剛性用リブの延在方向は別々の向を適宜選択できる。
【００４０】
次に本実施例の動作を説明する。
【００４１】
掃除機使用者が手元操作部２０３に設置されたスイッチ操作部２０４を操作すると、操作されたスイッチに従った動作モードで電気掃除機本体２０１内の電動送風機が運転する。電動送風機によって発生した吸引力は、ホース２０２，延長管２０５を通って吸口体２０６に到達する。それと同時に、ホース２０２および延長管２０５に設けられた電源線から供給された電源が、回路基板１２２を介して電動機１０５を駆動する。
【００４２】
電動機１０５とプーリー，ベルトで連結している回転清掃体１０４が回転することにより、回転清掃体１０４の清掃部材である刷毛やブレードによって被掃除面からごみやじん埃を掻き出して吸い込んでいる。
【００４３】
じん埃は吸口体２０６の下面と被掃除面との間にできる隙間、いわゆる前方のバンパー１１９との間にできる吸引部、吸口体２０６側面との間にできる開口部、後方側の固定刷毛部との間から吸い込んでいる。床やフローリングでは、上記隙間がほぼ一定に保たれるが、じゅうたんなど毛足の長さが異なるものでは、その隙間の状態が変化する。したがって、被掃除面との間にできる隙間が小さい方が吸込室３０７の負圧が大きくなる。
【００４４】
掃除機使用者がじゅうたんを掃除すると、本体の吸引力により吸口体２０６がじゅうたんに沈み込み、被掃除面との間にできる隙間が小さくなり、吸込室３０７の負圧が高くなる。したがって、じゅうたんと吸口体２０６が吸着してしまい、前後に移動する操作性が悪化してしまうことがある。
【００４５】
本実施例によれば、図５（ａ）に示すように、吸込室３０７の負圧が大きくなると、インナーケース１３１上部に設置されたフラップ１３３が吸い寄せられて支点固定部１３１ａを中心に回動方向に撓み、閉じていた補給吸気口１３２が開き、外部からの空気が流れ込み、吸込室３０７の負圧が減少する。
【００４６】
このとき前記フラップ１３３の動作域を制限する保持リブ１０１ａ（撓み量制限手段）が設置されているため、異常な使用状態になり吸口体内の負圧が想定外に大きくなった場合でも、フラップの動作域に制限が設けられているためにフラップ１３３が吸口体から外れたり、吸込室の内部に設けた回転清掃体１０４にフラップ１３３が接触して破損することがない。また、前記フラップ１３３の撓みの上限が制限されているため、撓みによってフラップ１３３が永久変形してしまうことを抑制することができる。
【００４７】
これにより、じゅうたんと吸口体２０６との吸着が緩和され、軽快操作が行える。
【００４８】
また、補給吸気口１３２より外部から空気が流入するので、回転清掃体１０４の清掃部材３０２〜３０５に吹き付けることになり、清掃部材に付着していたじん埃を剥がす効果と糸くずや髪の毛などの絡み付きを抑制する効果がある。さらに、清掃部材間に入り込んだじん埃も除去できる効果がある。
【００４９】
このとき、フラップ１３３は折り曲げ部１３３ａによって回動軸方向に剛性を持っているため、回動軸方向へ撓むことがない。これにより、吸込室３０７の負圧の大きさによってフラップ１３３が回動軸方向に対して一様に回動するため、前記吸込室３０７の内部圧力の調整をフラップ１３３の大きさによって容易に設定できる。
【００５０】
また、折り曲げることにより剛性を持つため、部品点数が少なく、組立て性が良い構成である上に、回動軸方向の撓みを抑制できるため外観的にも向上する。更に、折り曲げ部１３３ａにより剛性を得られるため、フラップ１３３の厚みも薄くすることが可能であり、省スペースでも設置することが可能である。
【００５１】
次に掃除機使用者が床やフローリングを掃除すると、被掃除面との間にできる隙間がほぼ一定に保たれるので、じゅうたんの時と比べて吸込室３０７の負圧が低くなる。そのため、図５（ｂ）に示すように、吸い寄せられて撓んでいたフラップ１３３が、自身の梁の復元力により補給吸気口を閉じることになる。
【００５２】
これにより、吸込室３０７の負圧が上昇するので、じん埃の集じん率が向上する。前方のバンパー１１９と被掃除面との隙間が確保されるので、米粒などの比較的大きいじん埃を吸引することができる。
【００５３】
このとき、前記フラップ１３３は支点固定部１３１ａと凸部１３１ｂにより、十分に張られた状態で固定されているため、梁の復元力が強く、製品の個体差によるバラつきを抑え、吸込室の負圧が低い場合には完全に補給吸気口を閉じることができる。また、支点固定部１３１ａを回動軸に対して断片的に設け、梁の復元力が前記フラップ１３３に対して、回動軸方向に左右対称、かつ両端部近傍に作用しない場合でも、折り曲げ部１３３ａによる剛性のため、フラップ１３３が回動軸方向に撓むことなく、完全に補給吸気口を閉じることができる。従って、補給吸気口を吸口体の長手方向に対して中心以外の場所に設けた場合でも、折り曲げ部１３３ａによる剛性のため、完全に補給吸気口を閉じることができる。また、フラップ１３３が薄い材質の場合でも、折り曲げ部１３３ａにより剛性を得られるため、完全に補給吸気口を閉じることができる。
【００５４】
以上のことから、吸口体内の負圧の状況に応じて、切り替え操作なしで軽快操作と高い集じん性能を提供することができる。
【００５５】
また、本フラップ１３３は吸込室３０７の負圧の大きさによって撓むので、自動的に補給吸気口１３２の開閉することになる。例えば、ごみが溜まって本体の吸引力が低下した場合、それに合わせて吸口体２０６の吸込室３０７の負圧も低下するが、負圧が小さいとじゅうたん上でもフラップ１３３が補給吸気口１３２を閉じた状態になるので、集じん性能の低下が少ない。
【００５６】
一般に吸口体２０６の吸込室３０７の圧力は、中央から長手方向端部に向けて小さくなる。本実施例では、補給吸気口１３２を吸口体２０６の長手方向左右２箇所に配置しているので、外部空気が回転清掃体１０４の端部側から中央部に向かうことになるので、圧力だけではなく、空気の力と合わせてじん埃を搬送しながら吸引することができる。
【００５７】
ここで、前記回転清掃体１０４の上部側の補給吸気口１３２は長手方向左右２箇所に配置しているが、配置位置および数は適宜調整可能である。あるいは、補給吸気口の開口面積を調節することで、吸込室の内部圧力を略一定に保つことが可能となり、被掃除面の対象によらず、集じん性能を維持することができる。
【００５８】
本実施例では床移動型の掃除機について説明したが、これに限定されるものではなく、アップライト式やスティック式の掃除機にも適用できる。
【００５９】
以上説明したように本実施例によれば、吸込室の負圧の大きさによって自動的に可動するフラップの先端を折り曲げることで、簡単な構成で組立て性が良く、コストを抑えた構造で開閉動作を完全に行うことで補給吸気口の開口面積を調整し、操作性を損なうことなく優れた集じん性能を提供することができる。
【００６０】
また、本実施例によれば、インナーケースに補給吸気口を形成し、補給吸気口に先端を折り曲げた可撓性のあるフラップを取り付けた簡単な構造であり、安価なコストで開閉動作を完全に行うことができる。
【図面の簡単な説明】
【００６１】
【図１】本発明の一実施例に係る吸口体の斜視図である。
【図２】本発明の一実施例に係る吸口体の分解斜視図である。
【図３】本発明の一実施例に係る吸口体の平面図である。
【図４】本発明の一実施例に係る電気掃除機の外観図である。
【図５（ａ）】本発明の一実施例に係る図１のＡ―Ａ断面図で、フラップが開かれて状態を示す。
【図５（ｂ）】本発明の一実施例に係る図１のＡ―Ａ断面図で、フラップが閉じている状態を示す。
【図６（ａ）】本発明の一実施例に係る図５のフラップ拡大図で、フラップが開かれて状態を示す。
【図６（ｂ）】本発明の一実施例に係る図５のフラップ拡大図で、フラップが閉じている状態を示す。
【符号の説明】
【００６２】
１００…上ケース
１０１…下ケース
１０１ａ…保持リブ
１０４…回転清掃体
１０５…電動機
１３１…インナーケース
１３１ａ…支点固定部
１３１ｂ…凸部
１３２…補給吸気口
１３３…フラップ
１３３ａ…折り曲げ部
１３３ｂ…折り曲げ角度
２０１…掃除機本体
２０３…手元操作部
２０６…吸口体
３０２〜３０６…清掃部材
３０７…吸込室
【図１】
2009297378.tif 000003
【図２】
2009297378.tif 000004
【図３】
2009297378.tif 000005
【図４】
2009297378.tif 000006
【図５（ａ）】
2009297378.tif 000007
【図５（ｂ）】
2009297378.tif 000008
【図６（ａ）】
2009297378.tif 000009
【図６（ｂ）】
2009297378.tif 000010